(57)【要約】【課題】  個別認識情報をスクラッチ加工して隠蔽するのではなく、ミシン目状に加工したカードと同一材料で個別認識情報を隠蔽し、ミシン目状に加工した部分を切り離すことにより、正当な購入者が個別認識情報を入手することができ、かつ偽造困難なカードを提供することを目的とする。【解決手段】  本発明は、第一基材と第二基材とが折り線を介して連接されたカード基材からなり、前記折り線を介して二つ折りされてなるカードにおいて、前記第一基材の一方の面に個別認識情報が少なくとも印刷され、前記個別認識情報が印刷された領域に対応する第二基材の領域を切除することにより前記個別認識情報を表出させる切除可能な窓部を設け、前記個別認識情報が印刷されている領域以外の対向面どうしの少なくとも一部が接着されていることを特徴とするカードにより上記の課題を解決した。【選択図】  図１
2014121832.tif 000002
【特許請求の範囲】
【請求項１】
第一基材と第二基材とが折り線を介して連接されたカード基材からなり、前記折り線を介して二つ折りされてなるカードにおいて、前記第一基材の一方の面に個別認識情報が少なくとも印刷され、前記個別認識情報が印刷された領域に対応する第二基材の領域を切除することにより前記個別認識情報を表出させる切除可能な窓部を設け、前記個別認識情報が印刷されている領域以外の対向面どうしの少なくとも一部が接着されていることを特徴とするカード。
【請求項２】
前記窓部の少なくとも対向する二辺の一部にミシン目状の加工を施すことにより、ミシン目状の連接部を設けたことを特徴とする請求項１に記載するカード。
【請求項３】
前記窓部の四辺の一部にミシン目状の加工を施すことにより、ミシン目状の連接部を設けたことを特徴とする請求項１に記載するカード。
【請求項４】
前記窓部の四辺にミシン目状の加工を施すことにより、ミシン目状の連接部を設けたことを特徴とする請求項１に記載するカード。
【請求項５】
前記ミシン目状の連接部のカット部とアンカット部との割合が１．５±１０％：０．８±１０％であることを特徴とする請求項２ないし請求項４のいずれか１項に記載するカード。
【請求項６】
前記折り線はミシン目状の加工されたミシン目のカット部とアンカット部との割合が１．８±２５％：１．０±２５％であることを特徴とする請求項１ないし請求項５のいずれか１項に記載するカード。
【請求項７】
前記第一基材の個別認識情報が印刷されている面と対向する第二基材の前記窓部を除く領域の全面に接着剤が塗布されてなることを特徴とする請求項１ないし請求項６のいずれか１項に記載するカード。
【請求項８】
前記第一基材の個別認識情報が印刷されている面と対向する第二基材の前記窓部を除く領域の
全面が熱融着により貼り合わされてなることを特徴とする請求項１ないし請求項６のいずれか１項に記載するカード。
【請求項９】
前記第一基材の外面が物品または台紙に貼着されてなることを特徴とする請求項１ないし請求項８のいずれか１項に記載するカード。
【発明の詳細な説明】
【技術分野】
【０００１】
本発明は、カードに関するもので、さらに詳しくは切除可能な窓部を設けたことにより個別認識情報を目視可能にするカードに関するものである。
【背景技術】
【０００２】
プリペイドカード（Ｐｒｅｐａｉｄ  Ｃａｒｄ）とは、あらかじめ入金して積み立てておく形のいわゆる前払い方式のカード型有価証券である。事前に代金を支払って購入するため、この名前がついており、商品券と異なり残額がなくなるまで繰り返し利用できる。発行者側には、全額使われないままに終わるカードがあることや使用完了までの間に資金運用が可能などの利点があり、利用者側には、小銭を持ち歩く必要がなく軽くて持ち運びやすく、カードによってはプレミアムがついているなどの利点がある。
【０００３】
基本的には磁気で記録するカードであるため、記録するデータ量がそれほど多くなく、市販のカードリーダ／ライタで偽造が行われやすい。そのため高額カードの発売停止やプリペイドカードシステムそのものが廃止されたものもある。
【０００４】
最近では、磁気式ではなくスクラッチ印刷で暗証番号を隠蔽して発行されたプリペイドカードが使用されている。プリペイドカードの裏面のバーコードをＰＯＳ（販売時点情報管理）レジに通し、購入処理が行われたことによってプリペイドカードの残高が有効になるシステム（ＰＯＳＡ（Ｐｏｉｎｔ  Ｏｆ  Ｓａｌｅｓ  Ａｃｔｉｖａｔｉｏｎ）方式）が導入されたことにより、カード式の販売が再び行われるようになってきている。
【０００５】
上記に記載されたプリペイドカードは、暗証番号の上にスクラッチ層を形成して、透過光により暗証番号を不正に読取ったり、流通過程において暗証番号が不正に使用されたりしないようにしている。従ってスクラッチ層を形成したプリペイドカードは、削られて剥離すると修復不可能なため信頼性のあるプリペイドカードとして一般に流通している。
【０００６】
特許文献１には、磁気テープまたはＩＣメモリからなる情報収納部と磁性粉が含有されたマイクロカプセルからなる記録層を有する磁気表示部とを備えたプリペイドカードが開示されている。特許文献１では、プリペイドカードを見ただけで、カードの情報内容を目視にて容易かつ確実に確認できることが特徴である。
【０００７】
特許文献２には、カードの一部に暗証領域が定義され、暗証領域内の所定の部分に暗証コードが表示されており、暗証コードを隠蔽する機能を持った引っ掻くことにより剥離除去可能なスクラッチ層が形成されているプリペイドカードが開示されている。特許文献２では、暗証コードの文字の輪郭線内部の領域からなる文字部と、暗証コードの文字の輪郭線外部の領域からなる背景部との明度値や彩度値を規定していることが特徴である。
【先行技術文献】
【特許文献】
【０００８】
【特許文献１】特開平５−１６５７９号公報
【特許文献２】特許第３８３０６０２号公報
【発明の概要】
【発明が解決しようとする課題】
【０００９】
従来の例えばスクラッチ層を形成したプリペイドカードでは、プリペイドカードを積層・搬送・店頭販売する時にスクラッチ層が削れてしまい個別認識情報が不正使用されてしまう可能性がある。
また、スクラッチシールで形成されたプリペイドカードでは、シールを剥がして個別認識情報を入手した後再度スクラッチシールを貼付するという不正使用の可能性がある。本発明は、個別認識情報をスクラッチ加工して隠蔽するのではなく、ミシン目状に加工したカードと同一材料で個別認識情報を隠蔽し、ミシン目状に加工した部分を切り離すことにより、正当な購入者が個別認識情報を入手することができ、かつ偽造困難なカードを提供することを目的とする。
【課題を解決するための手段】
【００１０】
そこで、本発明に係わるカードは、以下の各発明により上記課題を解決した。なお、以下の各発明に付した括弧内の符号は、図面に付した符号と対応している。
【００１１】
本発明に係わる第１の発明は、第一基材（１４）と第二基材（１５）とが折り線（Ｘ）を介して連接されたカード基材からなり、前記折り線（Ｘ）を介して二つ折りされてなるカード（２１）において、前記第一基材（１４）の一方の面に個別認識情報（１２）が少なくとも印刷され、前記個別認識情報（１２）が印刷された領域に対応する第二基材（１５）の領域を切除することにより前記個別認識情報（１２）を表出させる切除可能な窓部（１３）を設け、前記個別認識情報（１２）が印刷されている領域以外の対向面どうしの少なくとも一部が接着されていることを特徴とするカード（２１）である。    
【００１２】
本発明に係わる第２の発明は、第１の発明において、前記窓部（１３）の少なくとも対向する二辺の一部にミシン目状の加工を施すことにより、ミシン目状の連接部（１６）を設けたことを特徴とするカード（２１）である。
【００１３】
本発明に係わる第３の発明は、第１の発明において、前記窓部（１３）の四辺の一部にミシン目状の加工を施すことにより、ミシン目状の連接部（１６）を設けたことを特徴とするカード（２１）である。
【００１４】
本発明に係わる第４の発明は、第１の発明において、前記窓部（１３）の四辺にミシン目状の加工を施すことにより、ミシン目状の連接部（１６）を設けたことを特徴とするカード（２１）である。    
【００１５】
本発明に係わる第５の発明は、第２の発明から第４の発明のいずれか１つの発明において、前記ミシン目状の連接部（１６）のカット部とアンカット部との割合が１．５±１０％：０．８±１０％であることを特徴とするカード（２１）である。
【００１６】
本発明に係わる第６の発明は、第１の発明から第５の発明のいずれか１つの発明において、前記折り線（Ｘ）はミシン目状の加工されたミシン目のカット部とアンカット部との割合が１．８±２５％：１．０±２５％であることを特徴とするカード（２１）である。
【００１７】
本発明に係わる第７の発明は、第１の発明から第６の発明のいずれか１つの発明において、前記第一基材（１４）の個別認識情報（１２）が印刷されている面と対向する前記第二基材（１５）の前記窓部（１３）を除く領域の全面に接着剤（１１）が塗布されてなることを特徴とするカード（２１）である。
【００１８】
本発明に係わる第８の発明は、第１の発明から第６の発明のいずれか１つの発明において、前記第一基材（１４）の個別認識情報（１２）が印刷されている面と対向する第二基材（１５）の前記窓部（１３）を除く領域の全面が熱融着により貼り合わされてなることを特徴とするカード（２１）である。
【００１９】
本発明に係わる第９の発明は、第１の発明から第８の発明のいずれか１つの発明において、前記第一基材（１４）の外面が物品または台紙に貼着されてなることを特徴とするカード（２１）である。
【発明の効果】
【００２０】
窓部のミシン目状連接部は、切り取ってカードから剥がすので、切除した後で再度貼り付けるのは不可能であり、接着剤等で切除した部分を貼り合わせた場合、接着剤等の痕跡が残るので偽造したことが明確になるという効果がある。また、窓部はカードと同一材料を用いているため、カードの積層・搬送・店頭販売時に窓部が削れて下層にある個別認識情報が目視可能とならないという効果もある。    
【図面の簡単な説明】
【００２１】
【図１】本発明に係わるカードにおける折り線で折り曲げたカードの見開き図である。
【図２】本発明に係わるカードにおいて接着して二つ折りしたカードの平面図である。
【発明を実施するための形態】
【００２２】
次に、本発明の実施形態について、図面を参照して詳述する。
【００２３】
図１は、本発明に係わるカードにおける折り線で折り曲げたカードの見開き図である。図１で１１は接着剤、１２は個別認識情報、１３は窓部、１４は第一基材、１５は第二基材、１６はミシン目状の連接部、Ｘは折り線である。
【００２４】
第一基材１４と第二基材１５は、カードの担体となる基材である。第一基材１４と第二基材１５の材料としては、例えば、ポリ塩化ビニル（ＰＶＣ）、ポリメチルメタクリレート（ＰＭＭＡ）、ポリエチレンテレフタレート（ＰＥＴ）、アクリロニトリルーブタジエンースチレン樹脂（ＡＢＳ）、ポリオレフィン、非結晶性ポリエチレンテレフタレート（ＰＥＴ−Ｇ）、ポリカーボネート、アクリロニトリルースチレン共重合体、セルロースプロピオネート、セルロースアセテートブチレート等のプラスチック材料、アート紙、コート紙、合成紙などの厚紙が好適に用いられる。第一基材１４または第二基材１５の厚みとしては１００μｍ〜２００μｍが好ましい。
【００２５】
個別認識情報１２は、文字データ、画像データ、コード、マーク等である。個別認識情報１２には、国際電話カードに用いられる暗証番号のようにカードごとに異なる可変情報が多いが、固定情報でもよい。
【００２６】
可変情報のプリンターとしては、ドットインパクトプリンター（ドットマトリクスプリンター）、サーマルプリンター、インクジェットプリンター、レーザープリンターなどがある。
【００２７】
固定情報の印刷としては、オフセット印刷、シルク印刷、活版印刷などがある。
【００２８】
接着剤１１としては、ウレタン系、エポキシ系、アクリル系、ビニル系、アミド系など従来既知のものが使用できる。本発明の接着剤１１にはホットメルト接着剤を好適に使用することができ、ホットメルト接着剤をＴ−ダイにて塗布しておき、平プレス又はロールプレスにて熱プレスして接着する方法がある。その他ミヤバーコート、グラビアコート、フローコート、コンマコート等の方法を用いて形成する。また、接着剤を使用せずに両面テープで第一基材１４と第二基材１５とを貼り合わせてもよい。
【００２９】
窓部１３は、二つ折りのカード２１を作成したときに個別認識情報１２が隠蔽されるような大きさであればよく、一般的には四角の形状であるがこれに限定されるものではない。窓部１３のミシン目状の加工は、四角の形状の場合、四辺全てをミシン目状に加工してもよく、四辺の中央一部分にミシン目状の連接部１６を形成してもよい。ミシン目状の連接部１６は、窓部１３を爪先で剥がしやすいように少なくとも二辺以上に形成するとよい。
【００３０】
カード２１は、ＪＩＳサイズのカード２１が２枚連接されたものを用い、折り線Ｘでミシン目状に加工されている。
【００３１】
図２は、本発明に係わるカードにおいて接着して二つ折りしたカードの平面図である。
図２で、２１はカードである。カード２１は本発明では主にプリペイドカードについて記載しているが、プリペイドカードに必ずしも限定されるものではなくギフトカード、クレジットカード、キャッシュカード、ＩＤカード、回数券、定期券、回数券、通行券、遊戯券、飲食券、商品券、給油券、洗車券、買物券として広く用いることが可能である。
【００３２】
（実施例１）
基材は、厚さ０．１８８ｍｍのポリエチレンテレフタレート（ＰＥＴ）を使用した。
縦５３．９８ｍｍ、横８５．６０ｍｍサイズのカードで、ＩＳＯ（ＩＳＯ／ＩＥＣ７８１０）やＪＩＳ（ＪＩＳ６３０１） によって規定されているカード２１を２枚使用し、折り線Ｘをミシン目状に加工した。
折り線Ｘのミシン目状のカット部とアンカット部を下記のようにして作製した。
カット部：アンカット部＝１．８ｍｍ：１．０ｍｍ
【００３３】
次に、第一基材１４に形成される個別認識情報１２をサーマルプリンターで印刷した。
【００３４】
次に、第一基材１４の個別認識情報１２が印刷されている領域に対応する第二基材１５の領域に個別認識情報１２より大きめに設計した窓部１３を作製した。
【００３５】
窓部１３の四辺全てにミシン目状の連接部１６となる部分のカット部とアンカット部を下記のようにして作製した。
カット部：アンカット部＝１．５ｍｍ：０．８ｍｍ
【００３６】
第一基材１４の個別認識情報１２以外の領域にホットメルト接着剤（ＭＯＲＥＳＣＯ社製、ＴＮ−５５６Ｚ（商品名））を塗布した。
【００３７】
個別認識情報１２と窓部１３とが合わさるように第一基材１４と第二基材１５とを折り線Ｘで内側に折り曲げて貼り合わせ、カード２１とした。
【００３８】
（実施例２）
基材は、厚さ０．１８８ｍｍのポリエチレンテレフタレート（ＰＥＴ）を使用した。
縦５３．９８ｍｍ、横８５．６０ｍｍサイズのカードで、ＩＳＯ（ＩＳＯ／ＩＥＣ７８１０）やＪＩＳ（ＪＩＳ６３０１） によって規定されているカード２１を２枚使用し、折り線Ｘをミシン目状に加工した。
折り線Ｘのミシン目状のカット部とアンカット部を下記のようにして作製した。
カット部：アンカット部＝１．８ｍｍ：１．０ｍｍ
【００３９】
次に、第一基材１４に形成される個別認識情報１２をサーマルプリンターで印刷した。
【００４０】
次に、第一基材１４の個別認識情報１２が印刷されている領域に対応する第二基材１５の領域に個別認識情報１２より大きめに設計した窓部１３を作製した。
【００４１】
窓部１３の対向する二辺にミシン目状の連接部１６となる部分のカット部とアンカット部を下記のようにして作製した。
カット部：アンカット部＝１．５ｍｍ：０．８ｍｍ
【００４２】
第一基材１４の個別認識情報１２以外の領域にホットメルト接着剤（ＭＯＲＥＳＣＯ社製、ＴＮ−５５６Ｚ（商品名））を塗布した。
【００４３】
個別認識情報１２と窓部１３とが合わさるように第一基材１４と第二基材１５とを折り線Ｘで内側に折り曲げて貼り合わせ、カード２１とした。
【００４４】
（変形例）
カット部とアンカット部との割合は前記実施例１ならびに２に示した数値に限られるものではなく、以下の範囲で自由に設定することができる。
連接部となる部分のカット部とアンカット部の割合は、
１．５±１０％：０．８±１０％に設定可能である。
また、折り線Ｘとなる部分のカット部とアンカット部との割合は
１．８±２５％：１．０±２５％に設定可能である。
【符号の説明】
【００４５】
１１  接着剤  
１２  個別認識情報  
１３  窓部
１４  第一基材
１５  第二基材
１６  ミシン目状の連接部
２１  カード
Ｘ    折り線
【図１】
2014121832.tif 000003
【図２】
2014121832.tif 000004